(57)【要約】【課題】衣服を傷めにくく、吊り下げた状態の見た目が良好で、ボトム類と上着類の両方に使用することのできるハンガーを提供する。【解決手段】支持部１１と、支持部１１に設けられた軸部１４を介してそれぞれ回動自在に取り付けられた左アーム部１２と右アーム部１３とからなる折りたたみハンガー１０であって、左右のアーム部１２，１３を上方に回動させて狭くすると衣服の中に入れることができる幅となるように構成し、かつ衣服の中に入れた状態で左右のアーム部１２，１３を下方に回動させて左右のアーム部１２，１３の先端を衣服の内側に当接させると、左右のアーム部１２，１３が軸部１４から外側かつ斜め上方に向けて延びた状態で衣服の内側を支持するように構成した。【選択図】図１
0003171070.tif 000002
【実用新案登録請求の範囲】
【請求項１】
支持部と、前記支持部に設けられた軸部を介してそれぞれ回動自在に取り付けられた左アーム部と右アーム部とからなる折りたたみハンガーであって、
前記左右のアーム部を上方に回動させて狭くすると衣服の中に入れることができる幅となるように構成し、かつ衣服の中に入れた状態で前記左右のアーム部を下方に回動させて左右のアーム部の先端を衣服の内側に当接させると、前記左右のアーム部が前記軸部から外側かつ斜め上方に向けて延びた状態で衣服の内側を支持するように構成したことを特徴とする折りたたみハンガー。
【請求項２】
前記左右のアーム部が衣服の重さにより下方に向けて回動するようにしたことを特徴とする請求項１に記載の折りたたみハンガー。
【請求項３】
前記左右のアーム部が前記軸部から外側かつ斜め上方に向けて延びた状態でそれ以上下方に向けて回動しないように規制する規制手段を設けたことを特徴とする請求項１又は請求項２に記載の折りたたみハンガー。
【請求項４】
前記左右のアーム部が左右対称に開閉するように構成したことを特徴とする請求項１乃至請求項３のうちいずれか１つに記載の折りたたみハンガー。
【請求項５】
前記軸部が前記支持部の上端に設けられているとともに、前記支持部の下端に台座部が設けられていることを特徴とする請求項１乃至請求項４のうちいずれか１つに記載の折りたたみハンガー。
【請求項６】
前記軸部が前記支持部の下端に設けられているとともに、前記支持部が紐状部材であることを特徴とする請求項１乃至請求項４のうちいずれか１つに記載の折りたたみハンガー。
【考案の詳細な説明】
【技術分野】
【０００１】
本考案は、衣服を吊り下げるハンガーに関するものである。
【背景技術】
【０００２】
従来、ズボンやスカート等を吊り下げるためのハンガーとして、図２４に示すようなハンガー２００が知られている。ハンガー２００は、水平に延びるアーム部２０１と、アーム部２０１の左右に設けられたクリップ２０２，２０３と、フック状の吊り具部２０４とから構成されており、ズボンやスカート等の腰周りの部分や裾の部分を左右のクリップ２０２，２０３で挟んで使用する。
【０００３】
また、同様にズボンやスカート等を吊り下げるためのハンガーとして、図２５に示すようなハンガー３００が知られている。ハンガー３００は、本体部３０１と、本体部３０１から水平に延びる左右のアーム部３０２，３０３と、フック状の吊り具部３０４とから構成されており、左右のアーム部３０２，３０３が本体部３０１から伸縮するようになっている。そして、図２５（ａ）のように縮んだ状態でズボンやスカート等の腰周りの部分に入れた後、本体部３０１内の弾性機構やラッチ機構等により、図２５（ｂ）のように伸ばした状態でズボンやスカートの内側から押圧支持して使用する。
【０００４】
一方、同様に内側から押圧支持するハンガーとして、特許文献１には、可撓性を有する左右の肩部を備えたハンガーを、湾曲状に撓ませてスカート等の上部開口部に入れた後、左右の肩部の弾性力によりスカート等を内側から押圧支持するようにした発明が記載されている。
【先行技術文献】
【特許文献】
【０００５】
【特許文献１】特開平１１−３４６９０２号公報
【考案の概要】
【考案が解決しようとする課題】
【０００６】
しかしながら、図２４に記載したハンガー２００は、クリップで挟んだ部分にクリップ跡が付いて衣服を傷めてしまう。特にズボンやスカート等を商品として店頭に吊り下げる場合、商品を傷めてしまうことになり問題が大きい。
【０００７】
また、図２５に記載したハンガー３００や、特許文献１に記載されたハンガーは、ズボンやスカートを弾性力等により内側から外側へ水平方向にのみ押圧支持するようになっているため、衣服を無理やり外側に突っ張ることになり、吊り下げた状態が実際の着用状態と異なる。そのため見た目が悪く、特に店頭での商品展示には向かない。また、押圧された部分の生地が、ズボンやスカートの重さによる摩擦で傷む可能性がある。
【０００８】
さらに、上記ハンガーはいずれもズボンやスカート等のボトム類専用であり、ジャケットやＴシャツ等の上着類を吊り下げることはできない。
【０００９】
本考案は、上記従来の課題を解決するものであり、衣服を傷めにくく、吊り下げた状態の見た目が良好で、ボトム類と上着類の両方に使用することのできるハンガーを提供するものである。
【課題を解決するための手段】
【００１０】
請求項１に係る考案の折りたたみハンガーは、支持部と、前記支持部に設けられた軸部を介してそれぞれ回動自在に取り付けられた左アーム部と右アーム部とからなる折りたたみハンガーであって、前記左右のアーム部を上方に回動させて狭くすると衣服の中に入れることができる幅となるように構成し、かつ衣服の中に入れた状態で前記左右のアーム部を下方に回動させて左右のアーム部の先端を衣服の内側に当接させると、前記左右のアーム部が前記軸部から外側かつ斜め上方に向けて延びた状態で衣服の内側を支持するように構成したことを特徴とする。
【００１１】
請求項２に係る考案は、請求項１に記載の折りたたみハンガーにおいて、前記左右のアーム部が衣服の重さにより下方に向けて回動するようにしたことを特徴とする。
【００１２】
請求項３に係る考案は、請求項１又は請求項２に記載の折りたたみハンガーにおいて、前記左右のアーム部が前記軸部から外側かつ斜め上方に向けて延びた状態でそれ以上下方に向けて回動しないように規制する規制手段を設けたことを特徴とする。
【００１３】
請求項４に係る考案は、請求項１乃至請求項３のうちいずれか１つに記載の折りたたみハンガーにおいて、前記左右のアーム部が左右対称に開閉するように構成したことを特徴とする。
【００１４】
請求項５に係る考案は、請求項１乃至請求項４のうちいずれか１つに記載の折りたたみハンガーにおいて、前記軸部が前記支持部の上端に設けられているとともに、前記支持部の下端に台座部が設けられていることを特徴とする。
【００１５】
請求項６に係る考案は、請求項１乃至請求項４のうちいずれか１つに記載の折りたたみハンガーにおいて、前記軸部が前記支持部の下端に設けられているとともに、前記支持部が紐状部材であることを特徴とする。
【考案の効果】
【００１６】
請求項１に記載の考案の折りたたみハンガーによれば、支持部に設けられた軸部を介して左右のアーム部が回動自在に取り付けられており、左右のアーム部を上方に回動させて狭くすると衣服の中に入れることができる幅となるように構成されているので、ハンガーを折りたたんだ状態で衣服の内側に入れることができ、衣服の着脱が容易である。また、衣服の中に入れた状態で左右のアーム部を下方に回動させて左右のアーム部の先端を衣服の内側に当接させると、左右のアーム部はそれぞれ、軸部から外側かつ斜め上方に向けて延びた状態で衣服の内側を支持するので、下側から支持することができ、水平方向のみに押圧支持するよりも衣服を傷めにくく、吊り下げた状態の見た目も良好である。また、左右のアーム部は衣服の内側に隠れた状態になるので、さらに見た目が良好である。また、ボトム類と上着類の両方に使用することができる。また、折りたたんで保管することができ場所をとらず持ち運びも便利である。また、左右のアーム部の開き具合によって、様々なサイズの衣服に使用可能である。また、衣服の内側に適度な空間が生まれるので、干した場合に乾きやすい。
【００１７】
また、請求項２に記載の考案によれば、左右のアーム部が衣服の重さにより下方に向けて回動するようにしたので、左右のアーム部の先端が外側に移動して衣服の当接部分を外側に押圧支持することができる。
【００１８】
また、請求項３に記載の考案によれば、左右のアーム部が軸部から外側かつ斜め上方に向けて延びた状態でそれ以上下方に向けて回動しないように規制する規制手段を設けたので、衣服を吊り下げるときなどに、左右のアーム部が斜め下向きになるのを防止することができる。
【００１９】
また、請求項４に記載の考案によれば、左右のアーム部が左右対称に開閉するように構成したので、左右のアーム部が非対称に開いて衣服が傾いてしまうのを防止することができる。
【００２０】
また、請求項５に記載の考案によれば、軸部が支持部の上端に設けられているとともに、支持部の下端に台座部が設けられているので、ショーケースの上に置くなどして使用することができる。
【００２１】
また、請求項６に記載の考案によれば、軸部が支持部の下端に設けられているとともに、支持部が紐状部材であるので、天井等に吊り下げて使用することができる。
【００２２】
以上、本考案によれば、衣服を傷めにくく、吊り下げた状態の見た目が良好で、ボトム類と上着類の両方に使用することのできるハンガーを提供することができる。
【図面の簡単な説明】
【００２３】
【図１】実施形態１に係る折りたたみハンガーを示す正面図である。
【図２】実施形態１に係る折りたたみハンガーを示す正面図である。
【図３】実施形態２に係る折りたたみハンガーを示す正面図である。
【図４】実施形態２に係る折りたたみハンガーを示す正面図である。
【図５】実施形態３に係る折りたたみハンガーを示す正面図である。
【図６】実施形態３に係る折りたたみハンガーを示す正面図である。
【図７】図６の部分拡大図である。
【図８】実施形態４に係る折りたたみハンガーを示す正面図である。
【図９】実施形態４に係る折りたたみハンガーを示す側面図である。
【図１０】実施形態５に係る折りたたみハンガーを示す正面図である。
【図１１】実施形態６に係る折りたたみハンガーを示す正面図である。
【図１２】実施形態６に係る折りたたみハンガーを示す側面図である。
【図１３】実施形態７に係る折りたたみハンガーを示す正面図である。
【図１４】実施形態８に係る折りたたみハンガーを示す正面図である。
【図１５】実施形態１乃至実施形態８に係る折りたたみハンガーの使用状態を示す図である。
【図１６】実施形態１乃至実施形態８に係る折りたたみハンガーの使用状態を示す図である。
【図１７】実施形態９に係る折りたたみハンガーを示す正面図である。
【図１８】実施形態９に係る折りたたみハンガーの使用状態を示す図である。
【図１９】実施形態９に係る折りたたみハンガーの使用状態を示す図である。
【図２０】実施形態１０に係る折りたたみハンガーを示す正面図である。
【図２１】実施形態１０に係る折りたたみハンガーを示す側面図である。
【図２２】実施形態１０に係る折りたたみハンガーの使用状態を示す図である。
【図２３】実施形態１０に係る折りたたみハンガーの使用状態を示す図である。
【図２４】従来例に係るハンガーを示す正面図である。
【図２５】従来例に係るハンガーを示す正面図である。
【考案を実施するための形態】
【００２４】
次に、図１乃至図１６を参照して、本考案の実施形態１乃至実施形態８に係る折りたたみハンガーについて説明する。最初に、図１及び図２を参照して、実施形態１に係る折りたたみハンガー１０の構成について説明する。図１及び図２は、折りたたみハンガー１０を示す正面図である。
【００２５】
折りたたみハンガー１０は、支持部１１、左アーム部１２、右アーム部１３、軸部１４、及び吊り具部１５から構成されている。左右のアーム部１２，１３の下端は、支持部１１の下端に設けられた軸部１４を介して支持部１１に取り付けられており、アーム部１２，１３はそれぞれ支持部１１に対して回動自在になっている。また、支持部１１の上端には、フック状の吊り具部１５が設けられている。
【００２６】
折りたたみハンガー１０は、左右のアーム部１２，１３を回動させて折りたたんでコンパクトにすることができ、保管に場所をとらず持ち運びも便利である。
【００２７】
また、折りたたみハンガー１０の支持部１１の中央付近は棒状に形成されており、この棒状部分の下寄りには突起部１１ｂが設けられている。また、左右のアーム部１２，１３には、軸部１８，１９を介して左連結部１６の一端と右連結部１７の一端が、それぞれ回動自在に取り付けられている。そして、左連結部１６の他端と右連結部１７の他端が、筒状のスライド部１１ａに回動自在に取り付けられている。
【００２８】
スライド部１１ａは、左右のアーム部１２，１３の開閉に伴い、支持部１１の棒状部分を上下方向にスライドするようになっている。そして、図２に示すように、スライド部１１ａが棒状部分に設けられた突起部１１ｂに到達すると、左右のアーム部１２，１３は、それ以上下方に向けて回動しないように規制される。このように、左右の連結部１６，１７、軸部１８，１９、スライド部１１ａ、突起部１１ｂにより、左右のアーム部１２，１３の下方に向けた回動を規制する規制手段が構成されている。また、左右のアーム部１２，１３を、連結部１６，１７を介して連結することにより、左右のアーム部１２，１３の動きが同調して左右対称に開閉するので、左右のアーム部１２，１３が非対称に開いて衣服が傾いてしまうのを防止するようになっている。
【００２９】
次に、図３及び図４を参照して、本考案の実施形態２に係る折りたたみハンガー２０について説明する。図３及び図４は、折りたたみハンガー２０を示す正面図である。
【００３０】
折りたたみハンガー２０は、支持部２１、左アーム部２２、右アーム部２３、軸部２４、及び吊り具部２５から構成されている。また、折りたたみハンガー２０の支持部２１の中央付近には、上下方向に沿って細長い孔２１ｂが形成されている。また、左右のアーム部２２，２３には、軸部２８，２９を介して左連結部２６の一端と右連結部２７の一端が、それぞれ回動自在に取り付けられている。そして、左連結部２６の他端と右連結部２７の他端が回動自在に連結されてスライド部２１ａを形成している。
【００３１】
スライド部２１ａは、左右のアーム部２２，２３の開閉に伴い、支持部２１の孔２１ｂを上下方向にスライドするようになっている。そして、図４に示すように、スライド部２１ａが孔２１ｂの下端に到達すると、左右のアーム部２２，２３は、それ以上下方に向けて回動しないように規制される。このように、左右の連結部２６，２７、軸部２８，２９、スライド部２１ａ、孔２１ｂにより、左右のアーム部２２，２３の下方に向けた回動を規制する規制手段が構成されている。また、左右のアーム部２２，２３を、連結部２６，２７を介して連結することにより、左右のアーム部２２，２３の動きが同調して左右対称に開閉するので、左右のアーム部２２，２３が非対称に開いて衣服が傾いてしまうのを防止するようになっている。
【００３２】
次に、図５乃至図７を参照して、本考案の実施形態３に係る折りたたみハンガー３０について説明する。図５及び図６は、折りたたみハンガー３０を示す正面図であり、図７は、図６の部分拡大図である。
【００３３】
折りたたみハンガー３０は、支持部３１、左アーム部３２、右アーム部３３、軸部３６，３７、及び吊り具部３５から構成されている。また、折りたたみハンガー３０の支持部３１は、下端が水平方向に分かれた逆Ｔ字形になっており、左右のアーム部３２，３３はそれぞれ、別々の軸部３６，３７によって回動自在に取り付けられている。また、左右のアーム部３２，３３の軸部３６，３７側の端部には歯車３２ａ，３３ａがそれぞれ形成されており、この歯車３２ａ，３３ａが噛み合いながら左右のアーム部３２，３３が開閉するようになっている。
【００３４】
そして、左右のアーム部３２，３３が開いて、図６及び図７に示す状態になると、左右のアーム部３２，３３の当接部３２ｂ，３３ｂ同士が当接し、左右のアーム部３２，３３は、それ以上下方に向けて回動しないように規制される。このように、左右の軸部３６，３７、歯車３２ａ，３３ａ、当接部３２ｂ，３３ｂにより、左右のアーム部３２，３３の下方に向けた回動を規制する規制手段が構成されている。また、左右のアーム部３２，３３に形成された歯車３２ａ，３３ａが噛み合いながら左右のアーム部３２，３３が開閉するようになっており、左右のアーム部３２，３３の動きが同調して左右対称に開閉するので、左右のアーム部３２，３３が非対称に開いて衣服が傾いてしまうのを防止するようになっている。
【００３５】
次に、図８及び図９を参照して、本考案の実施形態４に係る折りたたみハンガー４０について説明する。図８は折りたたみハンガー４０を示す正面図であり、図９は、折りたたみハンガー４０を示す（ａ）左側面図、（ｂ）右側面図である。
【００３６】
折りたたみハンガー４０は、支持部４１、左アーム部４２、右アーム部４３、軸部４４、及び吊り具部４５から構成されている。また、折りたたみハンガー４０の支持部４１の下端には、左ストッパー４６と右ストッパー４７が設けられている。左ストッパー４６は、左アーム部４２がそれ以上下方に向けて回動しないように規制する規制手段である。また、右ストッパー４７は、右アーム部４３がそれ以上下方に向けて回動しないように規制する規制手段である。
【００３７】
次に、図１０を参照して、本考案の実施形態５に係る折りたたみハンガー５０について説明する。図１０は、折りたたみハンガー５０を示す正面図である。
【００３８】
折りたたみハンガー５０は、支持部５１、左アーム部５２、右アーム部５３、軸部５４、及び吊り具部５５から構成されている。また、折りたたみハンガー５０の支持部５１と左アーム部５２は、紐状部材からなる左ストッパー５６により連結されている。同様に、支持部５１と右アーム部５３は、紐状部材からなる右ストッパー５７により連結されている。左ストッパー５６は、左アーム部５２を引っ張ることで、それ以上下方に向けて回動しないように規制する規制手段である。また、右ストッパー５７は、右アーム部５３を引っ張ることで、それ以上下方に向けて回動しないように規制する規制手段である。
【００３９】
次に、図１１及び図１２を参照して、本考案の実施形態６に係る折りたたみハンガー６０について説明する。図１１及び図１２はそれぞれ、折りたたみハンガー６０を示す正面図及び側面図である。
【００４０】
折りたたみハンガー６０は、支持部６１、左アーム部６２、右アーム部６３、軸部６４、及び吊り具部６５から構成されている。なお、折りたたみハンガー６０には、左右のアーム部６２，６３の下方に向けた回動を規制する規制手段は設けられていない。
【００４１】
次に、図１３を参照して、本考案の実施形態７に係る折りたたみハンガー７０について説明する。図１３は、折りたたみハンガー７０を示す正面図である。
【００４２】
折りたたみハンガー７０は、支持部７１、左アーム部７２、右アーム部７３、軸部７４、及び吊り具部７５から構成されている。また、折りたたみハンガー７０の左右のアーム部７２，７３はそれぞれ、軸部７４から外側かつ斜め上方に向けて延びた後、さらに先端部分が上方に湾曲している。この曲線部分は、例えばマネキンの腰周りの部分に合わせて形成するとよい。これにより、ズボンなどのボトム類を吊り下げる場合に、左右のアーム部７２，７３の先端が腰周りの部分のラインに沿った形となっており、より美しい状態で吊り下げることができる。なお、折りたたみハンガー７０には、左右のアーム部７２，７３の下方に向けた回動を規制する規制手段は設けられていない。
【００４３】
次に、図１４を参照して、本考案の実施形態８に係る折りたたみハンガー８０について説明する。図１４は、折りたたみハンガー８０を示す正面図である。
【００４４】
折りたたみハンガー８０は、支持部８１、左アーム部８２、右アーム部８３、軸部８６，８７、及び吊り具部８５から構成されている。また、折りたたみハンガー８０の支持部８１は、下端が水平方向に分かれた逆Ｔ字形になっており、左右のアーム部８２，８３はそれぞれ、別々の軸部８６，８７によって回動自在に取り付けられている。なお、折りたたみハンガー８０には、左右のアーム部８２，８３の下方に向けた回動を規制する規制手段は設けられていない。
【００４５】
次に、図１５及び図１６を参照して、実施形態１乃至実施形態８に係る折りたたみハンガー１０，２０，３０，４０，５０，６０，７０，８０の使用方法について説明する。図１５及び図１６は、折りたたみハンガーの使用状態を示す図であり、図１５はズボン１を、図１６はＴシャツ２を吊り下げるものである。なお、説明の都合上、図１５及び図１６には折りたたみハンガー６０を図示しているが、その他のハンガー１０，２０，３０，４０，５０，７０，８０の使用方法についても同様である。また、以下において、左右のアーム部を上方に回動させるとは、左右のアーム部の先端が上方に移動するように動かすことをいう。また、左右のアーム部を下方に回動させるとは、左右のアーム部の先端が下方に移動するように動かすことをいう。
【００４６】
ズボン１を吊り下げる場合、まず図１５（ａ）に示すように、ズボン１の上部開口部に入るように、折りたたみハンガー６０の幅を、左右のアーム部６２，６３をそれぞれ上方に回動させて狭くしてから、ズボン１の中に入れる。次に図１５（ｂ）に示すように、左右のアーム部６２，６３を下方に回動させて、左右のアーム部６２，６３の上部先端を、それぞれズボン１の左右内側の腰周りの部分に当接させる。なお通常、ズボン１等のボトム類の腰周りの部分は、下側のおしりの部分に比べて狭くなっているため、左右のアーム部６２，６３の上部先端が当接部分から外れてしまうことはない。
【００４７】
このとき、左右のアーム部６２，６３はそれぞれ、軸部６４から外側かつ斜め上方に向けて延びた状態になっているので、ズボン１の当接部分は、左右のアーム部６２，６３の上部先端に下側から支持される。同時に、ズボン１の重さにより、左右のアーム部６２，６３には下向きの力が加わるため、左右のアーム部６２，６３はそれぞれ、下方に向けて回動しながら先端が外側に移動して、ズボン１の当接部分を外側に押圧支持する。
【００４８】
なお、支持部６１と左右のアーム部６２，６３の間に摩擦材を挟んだり、あるいはラッチ機構を設けるなどして、左右のアーム部６２，６３の回動を規制するようにしてもよい。この場合は、ズボン１の重さにより左右のアーム部６２，６３が下方に向けて回動することはないので、手動により左右のアーム部６２，６３の開き具合を適切に調整すればよい。以下の実施形態においても同様である。
【００４９】
また、左右のアーム部６２，６３の長さが短すぎて、左右のアーム部６２，６３を開いたときの先端同士の距離の最大値が、吊り下げるズボン等の腰周りの幅よりも短くなると、ズボン等を下側から支持することができず吊り下げることができない。一方で、左右のアーム部６２，６３の長さが長すぎても、ズボン等の内側に収まらなくなってしまい、吊り下げることができない。
【００５０】
Ｔシャツ２を吊り下げる場合、まず図１６（ａ）に示すように、Ｔシャツ２の襟ぐり部分に入るように、折りたたみハンガー６０の幅を、左右のアーム部６２，６３をそれぞれ上方に回動させて狭くしてから、Ｔシャツ２の中に入れる。なお、Ｔシャツ２の下側から入れる場合は、下側から入るような幅まで狭くすればよい。次に図１６（ｂ）に示すように、左右のアーム部６２，６３を下方に回動させて、左右のアーム部６２，６３の上部先端を、それぞれＴシャツ２の左右内側の肩の部分に当接させる。
【００５１】
このとき、左右のアーム部６２，６３はそれぞれ、軸部６４から外側かつ斜め上方に向けて延びた状態になっているので、Ｔシャツ２の当接部分は、左右のアーム部６２，６３の上部先端に下側から支持される。同時に、Ｔシャツ２の重さにより、左右のアーム部６２，６３には下向きの力が加わるため、左右のアーム部６２，６３はそれぞれ、下方に向けて回動しながら先端が外側に移動して、Ｔシャツ２の当接部分を外側に押圧支持する。
【００５２】
実施形態１乃至実施形態８に係る折りたたみハンガーによれば、支持部に設けられた軸部を介して左右のアーム部が回動自在に取り付けられており、左右のアーム部を上方に回動させて狭くすると衣服の中に入れることができる幅となるように構成されているので、ハンガーを折りたたんだ状態で衣服の内側に入れることができ、衣服の着脱が容易である。また、衣服の中に入れた状態で左右のアーム部を下方に回動させて左右のアーム部の先端を衣服の内側に当接させると、左右のアーム部はそれぞれ、軸部から外側かつ斜め上方に向けて延びた状態で衣服の内側を支持するので、下側から支持することができ、水平方向のみに押圧支持するよりも衣服を傷めにくく、吊り下げた状態の見た目も良好である。また、左右のアーム部は衣服の内側に隠れた状態になるので、さらに見た目が良好である。また、ボトム類と上着類の両方に使用することができる。また、折りたたんで保管することができ場所をとらず持ち運びも便利である。また、左右のアーム部の開き具合によって、様々なサイズの衣服に使用可能である。また、衣服の内側に適度な空間が生まれるので、干した場合に乾きやすい。
【００５３】
また、左右のアーム部が衣服の重さにより下方に向けて回動するようにすることで、左右のアーム部の先端が外側に移動して衣服の当接部分を外側に押圧支持することができる。
【００５４】
さらに、実施形態１乃至実施形態５に係る折りたたみハンガーによれば、左右のアーム部が軸部から外側かつ斜め上方に向けて延びた状態でそれ以上下方に向けて回動しないように規制する規制手段を設けたので、衣服を吊り下げるときなどに、左右のアーム部が斜め下向きになるのを防止することができる。
【００５５】
さらに、実施形態１乃至実施形態３に係る折りたたみハンガーによれば、左右のアーム部が左右対称に開閉するように構成したので、左右のアーム部が非対称に開いて衣服が傾いてしまうのを防止することができる。
【００５６】
次に、図１７乃至図１９を参照して、本考案の実施形態９に係る折りたたみハンガーについて説明する。最初に、図１７を参照して、実施形態９に係る折りたたみハンガー９０の構成について説明する。図１７は、折りたたみハンガー９０を示す正面図である。
【００５７】
折りたたみハンガー９０は、支持部９１、左アーム部９２、右アーム部９３、軸部９４、及び台座部９５から構成されている。左右のアーム部９２，９３の下端は、支持部９１の上端に設けられた軸部９４を介して支持部９１に取り付けられており、アーム部９２，９３はそれぞれ支持部９１に対して回動自在になっている。また、支持部９１の下端には、平板状の台座部９５が設けられている。
【００５８】
次に、図１８及び図１９を参照して、折りたたみハンガー９０の使用方法について説明する。図１８及び図１９は、折りたたみハンガー９０の使用状態を示す図であり、Ｔシャツ２を吊り下げるものである。なお、折りたたみハンガー９０には、ズボン１などのボトム類を吊り下げることも可能である。
【００５９】
折りたたみハンガー９０を用いてＴシャツ２を吊り下げる場合の方法は、実施形態１乃至実施形態８に係る折りたたみハンガーを用いる場合と同様であり、まず図１８（ａ）に示すように、Ｔシャツ２の下側から入るように、折りたたみハンガー９０の幅を、左右のアーム部９２，９３をそれぞれ上方に回動させて狭くしてから、Ｔシャツ２の中に入れる。次に図１８（ｂ）に示すように、左右のアーム部９２，９３を下方に回動させて、左右のアーム部９２，９３の上部先端を、それぞれＴシャツ２の左右内側の肩の部分に当接させる。以降の作用効果についても同様である。
【００６０】
さらに、折りたたみハンガー９０の軸部９４は支持部９１の上端に設けられているとともに、支持部９１の下端に台座部９５が設けられているので、ショーケースの上に置くなどして使用することができる。例えば図１９に示すように、複数のＴシャツ２を複数の折りたたみハンガー９０を用いてショーケース３の上に置けば、商品の展示に効果的である。
【００６１】
なお、折りたたみハンガー９０についても、左右のアーム部９２，９３が軸部９４から外側かつ斜め上方に向けて延びた状態でそれ以上下方に向けて回動しないように規制する規制手段を設けることができる。また、左右のアーム部９２，９３が左右対称に開閉するように構成することもできる。
【００６２】
次に、図２０至図２３を参照して、本考案の実施形態１０に係る折りたたみハンガーについて説明する。最初に、図２０及び図２１を参照して、実施形態１０に係る折りたたみハンガー１００の構成について説明する。図２０及び図２１はそれぞれ、折りたたみハンガー１００を示す正面図及び側面図である。
【００６３】
折りたたみハンガー１００は、支持部１０１、左アーム部１０２、右アーム部１０３、軸部１０４、及び吊り具部１０５から構成されている。支持部１０１は、紐状部材であり、支持部１０１の下端には、軸部１０４が設けられている。左右のアーム部１０２，１０３の下端は、支持部１０１の下端に設けられた軸部１０４を介して支持部１０１に取り付けられており、アーム部１０２，１０３はそれぞれ支持部１０１に対して回動自在になっている。また、支持部１０１の上端には、紐状部材を結んだ輪状の吊り具部１０５が設けられている。なお、吊り具部１０５として、別途フック等を取り付けるようにしてもよい。
【００６４】
次に、図２２及び図２３を参照して、折りたたみハンガー１００の使用方法について説明する。図２２及び図２３は、折りたたみハンガー１００の使用状態を示す図であり、ズボン１を吊り下げるものである。なお、折りたたみハンガー１００には、Ｔシャツ２などの上着類を吊り下げることも可能である。
【００６５】
折りたたみハンガー１００を用いてズボン１を吊り下げる場合の方法は、実施形態１に係る折りたたみハンガーを用いる場合と同様であり、まず図２２（ａ）に示すように、ズボン１の上部開口部に入るように、折りたたみハンガー１００の幅を、左右のアーム部１０２，１０３をそれぞれ上方に回動させて狭くしてから、ズボン１の中に入れる。次に図２２（ｂ）に示すように、左右のアーム部１０２，１０３を下方に回動させて、左右のアーム部１０２，１０３の上部先端を、それぞれズボン１の左右内側の腰周りの部分に当接させる。以降の作用効果についても同様である。
【００６６】
さらに、折りたたみハンガー１００の軸部１０４は支持部１０１の下端に設けられているとともに、支持部１０１は紐状部材であるので、支持部１０１の上端を結ぶなどして吊り具部１０５を形成し、天井等に吊り下げて使用することができる。例えば図２３に示すように、複数のズボン１を複数の折りたたみハンガー１００を用いて天井４から吊り下げれば、あたかもズボン１が宙に浮かんでいるような視覚的効果が得られ、商品の展示に効果的である。特に、支持部１０１を透明な釣り糸等にすれば、より効果的である。
【００６７】
なお、折りたたみハンガー１００についても、左右のアーム部１０２，１０３が軸部１０４から外側かつ斜め上方に向けて延びた状態でそれ以上下方に向けて回動しないように規制する規制手段を設けることができる。また、左右のアーム部１０２，１０３が左右対称に開閉するように構成することもできる。
【００６８】
以上、本実施形態に係る折りたたみハンガーによれば、衣服を傷めにくく、吊り下げた状態の見た目が良好で、ボトム類と上着類の両方に使用することのできるハンガーを提供することができる。
【００６９】
なお、上記実施形態において、支持部や左右のアーム部は、板状や棒状など様々な形状の部材により形成することができる。また、材質も、木、金属、合成樹脂など特に限定されない。
【００７０】
また、左右のアーム部を伸縮自在として、吊り下げる衣服の大きさに合わせて調整するようにしてもよい。
【００７１】
また、左右のアーム部の先端に滑り止め部材やクッション性部材を取り付けてもよい。
【符号の説明】
【００７２】
１    ズボン
２    Ｔシャツ
３    ショーケース
４    天井
１０    折りたたみハンガー
１１    支持部
１１ａ  スライド部
１１ｂ  突起部
１２    左アーム部
１３    右アーム部
１４    軸部
１５    吊り具部
１６    左連結部
１７    右連結部
１８    軸部
１９    軸部
２０    折りたたみハンガー
２１    支持部
２１ａ  スライド部
２１ｂ  孔
２２    左アーム部
２３    右アーム部
２４    軸部
２５    吊り具部
２６    左連結部
２７    右連結部
２８    軸部
２９    軸部
３０    折りたたみハンガー
３１    支持部
３２    左アーム部
３３    右アーム部
３５    吊り具部
３６    軸部
３７    軸部
４０    折りたたみハンガー
４１    支持部
４２    左アーム部
４３    右アーム部
４４    軸部
４５    吊り具部
４６    左ストッパー
４７    右ストッパー
５０    折りたたみハンガー
５１    支持部
５２    左アーム部
５３    右アーム部
５４    軸部
５５    吊り具部
５６    左ストッパー
５７    右ストッパー
６０    折りたたみハンガー
６１    支持部
６２    左アーム部
６３    右アーム部
６４    軸部
６５    吊り具部
７０    折りたたみハンガー
７１    支持部
７２    左アーム部
７３    右アーム部
７４    軸部
７５    吊り具部
８０    折りたたみハンガー
８１    支持部
８２    左アーム部
８３    右アーム部
８５    吊り具部
８６    軸部
８７    軸部
９０    折りたたみハンガー
９１    支持部
９２    左アーム部
９３    右アーム部
９４    軸部
９５    台座部
１００    折りたたみハンガー
１０１    支持部
１０２    左アーム部
１０３    右アーム部
１０４    軸部
１０５    吊り具部
２００    ハンガー
２０１    アーム部
２０２    クリップ
２０３    クリップ
２０４    吊り具部
３００    ハンガー
３０１    本体部
３０２    左アーム部
３０３    右アーム部
３０４    吊り具部
【図１】
0003171070.tif 000003
【図２】
0003171070.tif 000004
【図３】
0003171070.tif 000005
【図４】
0003171070.tif 000006
【図５】
0003171070.tif 000007
【図６】
0003171070.tif 000008
【図７】
0003171070.tif 000009
【図８】
0003171070.tif 000010
【図９】
0003171070.tif 000011
【図１０】
0003171070.tif 000012
【図１１】
0003171070.tif 000013
【図１２】
0003171070.tif 000014
【図１３】
0003171070.tif 000015
【図１４】
0003171070.tif 000016
【図１５】
0003171070.tif 000017
【図１６】
0003171070.tif 000018
【図１７】
0003171070.tif 000019
【図１８】
0003171070.tif 000020
【図１９】
0003171070.tif 000021
【図２０】
0003171070.tif 000022
【図２１】
0003171070.tif 000023
【図２２】
0003171070.tif 000024
【図２３】
0003171070.tif 000025
【図２４】
0003171070.tif 000026
【図２５】
0003171070.tif 000027